(57)【特許請求の範囲】
【請求項１】
第１行第１列の赤、緑、青色左眼映像サブピクセル（Ｒ１１、Ｇ１１、Ｂ１１）と第１行第２列の赤、緑、青色左眼映像サブピクセル（Ｒ１２、Ｇ１２、Ｂ１２）とを含む複数の赤、緑、青色左眼映像サブピクセルで構成される左眼映像と、第１行第１列の赤、緑、青色右眼映像サブピクセル（ｒ１１、ｇ１１、ｂ１１）と第１行第２列の赤、緑、青色右眼映像サブピクセル（ｒ１２、ｇ１２、ｂ１２）とを含む複数の赤、緑、青色右眼映像サブピクセルで構成される右眼映像を提供する段階と；
前記左眼映像及び右眼映像を、それぞれが赤、緑、青色サブピクセルで構成され、第１行第１列ないし第１行第４列のピクセル（Ｐ１、Ｐ２、Ｐ３、Ｐ４）を含む複数のピクセルを含む表示パネルに供給する段階において、前記第１行第１列のピクセル（Ｐ１）の赤色サブピクセルには前記第１行第１列の赤色左眼映像サブピクセル（Ｒ１１）が印加され、前記第１行第１列のピクセル（Ｐ１）の緑色サブピクセルには前記第１行第１列の緑色左眼映像サブピクセル（Ｇ１１）が印加され、前記第１行第１列のピクセル（Ｐ１）の青色サブピクセルには前記第１行第１列の青色右眼映像サブピクセル（ｂ１１）が印加され、前記第１行第２列のピクセル（Ｐ２）の赤色サブピクセルには前記第１行第１列の赤色右眼映像サブピクセル（ｒ１１）が印加され、前記第１行第２列のピクセル（Ｐ２）の緑色サブピクセルには前記第１行第２列の緑色左眼映像サブピクセル（Ｇ１２）が印加され、前記第１行第２列のピクセル（Ｐ２）の青色サブピクセルには前記第１行第１列の青色左眼映像サブピクセル（Ｂ１１）が印加され、前記第１行第３列のピクセル（Ｐ３）の赤色サブピクセルには前記第１行第２列の赤色右眼映像サブピクセル（ｒ１２）が印加され、前記第１行第３列のピクセル（Ｐ３）の緑色サブピクセルには前記第１行第１列の緑色右眼映像サブピクセル（ｇ１１）が印加され、前記第１行第３列のピクセル（Ｐ３）の青色サブピクセルには前記第１行第２列の青色左眼映像サブピクセル（Ｂ１２）が印加され、前記第１行第４列のピクセル（Ｐ４）の赤色サブピクセルには前記第１行第２列の赤色左眼映像サブピクセル（Ｒ１２）が印加され、前記第１行第４列のピクセル（Ｐ４）の緑色サブピクセルには前記第１行第２列の緑色右眼映像サブピクセル（ｇ１２）が印加され、前記第１行第４列のピクセル（Ｐ４）の青色サブピクセルには前記第１行第２列の青色右眼映像サブピクセル（ｂ１２）が印加されるように供給する段階と、
前記表示パネルの上部に配置され、複数の開口部と、前記複数の開口部を囲む遮断部がモザイク状に配列され、前記複数の開口部それぞれは、前記複数の赤、緑、青色サブピクセルの前記横方向に隣接した２サブピクセル対に対応するパララックスバリアを通じて前記左眼映像及び右眼映像を使用者に伝達する段階と
を含み、
前記左眼映像及び右眼映像は、前記表示パネルの縦方向に沿って１サブピクセル毎に交互に印加される
ことを特徴とする３次元映像表示装置の駆動方法。
【請求項２】
前記複数の赤、緑、青色サブピクセルそれぞれは、前記横方向及び縦方向にそれぞれ平行した第１及び第２辺を有する長方形状であり、
前記複数の開口部は、前記第１辺の４倍である横ピッチで繰り返し配列され、前記第２辺の２倍である縦ピッチで繰り返し配列される
ことを特徴とする請求項１に記載の３次元映像表示装置の駆動方法。
【請求項３】
前記複数の開口部それぞれの面積は、前記隣接した２サブピクセル対の面積より小さいことを特徴とする請求項１に記載の３次元映像表示装置の駆動方法。
【請求項４】
前記複数の開口部それぞれは、前記第１辺の２倍の約９７％ないし約９９％の横の長さと、前記第２辺の約８０％ないし約９０％の縦の長さを有する
ことを特徴とする請求項３に記載の３次元映像表示装置の駆動方法。
【請求項５】
前記第２辺の長さは、前記第１辺の長さの３倍である
ことを特徴とする請求項１に記載の３次元映像表示装置の駆動方法。
【発明の詳細な説明】
【技術分野】
【０００１】
本発明は、ピボット機能を支援し、使用者が左右側に移動時バリアのシフト現像により発生する色品位低下を防止できる３次元映像表示装置の駆動方法に関する。
【背景技術】
【０００２】
最近には、立体性を有しさらに現実感のある映像を表現するための、３Ｄ具現が可能な表示装置に対するユーザーの要求が増大することによってこれに応じて３Ｄ立体表現が可能な表示装置が開発されている。
【０００３】
一般的に、３次元を表現する立体映像は、両目を介したステレオ視覚の原理によって形成されるようになるが、両目の視差、すなわち、両目が約６５ｍｍ程度離れて存在するため、現われるようになる両眼視差(binocular disparity)を利用して立体感のある映像を示すことができる液晶表示装置が提案された。
【０００４】
さらに、３次元映像具現に対して詳細に説明すると、表示装置を眺める左右の目は、それぞれ相異なる２次元映像を見るようになり、この両映像が網膜を介して脳に伝達されると、脳は、これを正確に互いに融合して本来の３次元映像の深み感と実際感を再生するようになる。このような現象を、通常、立体画法(stereography)という。
【０００５】
２次元の画面表示を有する装置において、３次元立体映像を表示するために提示された技術では、特殊眼鏡による立体映像ディスプレイ、無眼鏡式立体映像ディスプレイ及びホログラフィディスプレイ方式がある。
【０００６】
このうち、特殊眼鏡による立体映像ディスプレイ方式は、偏光の振動方向または回転方向を利用した偏光眼鏡方式と、左右映像を互いに転換させながら交代で提示する時分割メガネ方式及び左右眼に相異なる輝度の光を伝達する方式である濃度差方式に分けることができる。
【０００７】
また、無眼鏡式立体映像ディスプレイ方式は、左右眼に該当するそれぞれの映像の前に縦格子状の開口(aperture)を介して映像を分離して観察することができるようにするパララックスバリア(parallax barrier)方式と、半円柱レンズ(cylindrical lens)をストライプ状で配置したレンチキュラー板(lenticular plate)を利用するレンチキュラー(lenticular)方式及びフライアイレンズ板を利用するインテグラルフォトグラフィ(integral photography)方式に分けることができる。
【０００８】
そして、ホログラフィディスプレイ方式は、立体感が生じる要因である焦点調節、両眼視差、運動視差など全ての要因を備えた３次元立体映像を得ることができ、レーザ光再生ホログラムと白色光再生ホログラムに分類される。
【０００９】
このうち、左／右眼用立体画像(stereo image)をそれぞれ分離して見ることができるようにすることで３次元映像を具現する方式である視差方式が主に採択されている。
【００１０】
図１は、従来の視差方式の３次元映像表示装置を示した概念図である。
【００１１】
前記視差方式の３次元映像表示装置１１は、左／右眼用イメージ情報が表示される表示素子１５の一面に対して縦あるいは横方向に配列されたスリット状の開口を有し、右眼に対しては左眼に入射されるべき映像を遮断し、左眼に対しては右眼に入射されるべき映像を遮断することを特徴とするパララックスバリア３０を位置させることによって、両眼視差により最終的に使用者が３次元の立体映像を見ることができるようにするものである。
【００１２】
最近では、このようなスリット状のパララックスバリアの代わりにモザイク状バリア方式の３次元映像表示装置が提案されている。
【００１３】
これは、最近の表示装置にピボット機能を追加して画面を横方向で見る事もでき、時には、９０度回転させて縦方向でも視聴可能なようにしているので、３次元立体表示装置もこのような傾向を反映するためである。
【００１４】
図２は、従来のモザイク状バリア方式の３次元映像表示装置を正面から眺めた時の左眼または右眼の中いずれか一つに入射する映像を示した図面である。
【００１５】
図示したように、３次元映像表示装置５０には、短軸と長軸の長方形状で、赤、緑、青色を発する３個のサブピクセルＳＰが一つのピクセルＰを形成することを特徴とする表示パネル６０が具備されており、このような表示パネル６０の上部に３次元映像を具現するためのモザイク状バリア７０が重畳配置されている。ここで、表示パネル６０は、赤、緑、青色カラーが横方向Ｈに交互に配置され、縦方向Ｖに同一なカラーが一列に配置される縦方向ストライプ状(vertical stripe type)に形成されたことが特徴であり、前記モザイク状バリア７０は、あたかもブラックとホワイトで構成されたチェス盤状のように開口部ＯＡ及び遮断部ＢＡで構成されていることが特徴である。
【００１６】
ここで、従来のモザイク状バリア方式の３次元映像表示装置５０は、表示パネル６０の一つのピクセルＰに対して開口部ＯＡが対応し、前記開口部ＯＡが対応した一つのピクセルＰの上下左右に配置されたピクセルＰに対しては全て遮断部ＢＡが対応されるように、反対に遮断部ＢＡが対応された一つのピクセルＰに対してその左、右、上、下に位置するピクセルＰに対しては開口部ＯＡが対応されるように構成されている。開口部ＯＡは、実質的に一つのピクセルＰ全体に対応することでなく赤、緑、青色のサブピクセルＲ、Ｇ、Ｂを含む一つのピクセルＰに対して上下左右に所定幅小さく形成されている。
【００１７】
これは、使用者が３次元映像表示画面を正面から眺める時だけでなく、移動して左右側から眺めた時または３次元映像表示画面が横モード(landscape mode)または縦モード(portrait mode)で駆動されるようにするピボット機能を具現して表示画面を９０度回転して左右側から眺めた時も左眼には左眼用映像が、右眼には右眼用映像が全て正常かつ正確に入射されるようにするためである。もし、前記モザイク状バリア７０の開口部ＯＡを正確に一つのピクセルＰに対応するように形成すれば、正面に対して左側及び右側に少しだけ移動した領域で見ても左眼及び右眼情報が混在して見るようになることになり、３次元映像の表示品質が低下されるためである。
【００１８】
図３は、従来の３次元映像表示装置の開口部及び遮断部を示した図面である。図３に示したように、バリア状３次元映像表示装置５０は、表示パネル６０と表示パネル６０上部に配置されるパララックスバリア７０で構成される。表示パネル６０は、赤、緑、青サブピクセルＳＰで構成されるピクセルＰを含み、各サブピクセルＳＰは、横方向Ｈと平行した第１辺と、縦方向Ｖに平行した第２辺を含む。第２辺の長さ３ｐは、第１辺の長さの約３倍である。
【００１９】
パララックスバリア７０は、ピクセルＰの中央部に形成される開口部ＯＡと、開口部ＯＡを囲む遮断部ＢＡを含む。遮断部ＢＡは、第１ないし第４部分リングを含む四角リング形状を有する。横方向Ｈに平行した第１及び第３部分リングは、第１幅ｄ１を有し、縦方向Ｖに平行した第２及び第４部分リングは、第２幅ｄ２を有する。第１及び第２幅ｄ１、ｄ２は、それぞれサブピクセルＳＰの第２辺の長さ３ｐの約５％ないし約１０％である(ｄ１、ｄ２＝０．０５＊(３ｐ)〜０．１＊(３ｐ)＝０．１５ｐ〜０．３ｐ)。
【００２０】
結果的に、約５．７６ｐ2((３ｐ−２＊(０．３ｐ))2＝(２．４ｐ)2＝５．７６ｐ2)から約７．２９ｐ2(３ｐ−２＊(０．１５ｐ))2＝(２．７ｐ)2＝７．２９ｐ2）の面積を有する開口部ＯＡの約９ｐ2の面積を有するピクセルＰに対する面積比、すなわち開口率(aｐerture ratio)は、約６４％から約８１％になる。
【００２１】
しかし、このような構成を有する従来の３次元映像表示装置５０は、赤、緑、青色サブピクセルＲ、Ｇ、Ｂを垂直ストライプ状に配置した構造特性により、赤、緑、青サブピクセルＲ、Ｇ、Ｂ別に空間別輝度分布が異なることにより３次元映像の視聴領域が非常に狭い問題が生じている。このような問題は、９０度回転した状態、すなわち赤、緑、青色サブピクセルＲ、Ｇ、Ｂが水平配列された状態では現われないが、赤、緑、青色サブピクセルＲ、Ｇ、Ｂが垂直配列された状態で左右側に移動して映像を眺めた時発生する。
【００２２】
図４Ａ、図４Ｂは、それぞれ従来の垂直な赤、緑、青色サブピクセル形状を有する表示装置を具備したモザイク状バリア方式の３次元映像表示装置において、正常的な３次元映像が視聴可能な領域の中、左側または右側に移動して表示画面を眺めた時の左眼または右眼の中、いずれか一つに対して示した図面である。
【００２３】
まず、図４Ａを参照すると、視聴者が正面を基準にして左側に移動して映像を眺めた場合、モザイク状バリア７０は、全体的に右側にシフトされた状態に見えるようになり、この場合、開口部ＯＡを介して視聴者が見る映像は、赤、緑、青色サブピクセルＲ、Ｇ、Ｂの中、青色サブピクセルＢの面積は増加し、反対に赤色サブピクセルＲの面積は小さくなって青い色を帯びる(bluish)映像を見るようになる。図４Ｂを参照すると、視聴者が正面を基準にして右側に移動して映像を眺めた場合、モザイク状バリア７０は、全体的に左側にシフトされた形態に見えるようになり、この場合、開口部ＯＡを介して視聴者が見る映像は、赤、緑、青色サブピクセルＲ、Ｇ、Ｂの中、赤色サブピクセルＲの面積は増加し、反対に青色サブピクセルＢの面積は小さくなって赤い色を帯びる(reddish)映像を視聴するようになる。
【００２４】
したがって、カラー表示品位が低下する問題が生じている。
【発明の開示】
【発明が解決しようとする課題】
【００２５】
そこで、本発明は、前記のような問題点を解決するために案出したものであって、視聴者が正面を基準にして左側または右側に移動した状態でも優れた色品位を有する３次元映像表示装置の駆動方法を提供することをその目的としている。
【００２６】
また、フルカラー３次元映像の視聴領域を向上させることを他の目的とする。
【課題を解決するための手段】
【００２７】
前記した目的を達成するために、本発明による３次元映像表示装置の駆動方法は、第１行第１列の赤、緑、青色左眼映像サブピクセル（Ｒ１１、Ｇ１１、Ｂ１１）と第１行第２列の赤、緑、青色左眼映像サブピクセル（Ｒ１２、Ｇ１２、Ｂ１２）とを含む複数の赤、緑、青色左眼映像サブピクセルで構成される左眼映像と、第１行第１列の赤、緑、青色右眼映像サブピクセル（ｒ１１、ｇ１１、ｂ１１）と第１行第２列の赤、緑、青色右眼映像サブピクセル（ｒ１２、ｇ１２、ｂ１２）とを含む複数の赤、緑、青色右眼映像サブピクセルで構成される右眼映像を提供する段階と；前記左眼映像及び右眼映像を、それぞれが赤、緑、青色サブピクセルで構成され、第１行第１列ないし第１行第４列のピクセル（Ｐ１、Ｐ２、Ｐ３、Ｐ４）を含む複数のピクセルを含む表示パネルに供給する段階において、前記第１行第１列のピクセル（Ｐ１）の赤色サブピクセルには前記第１行第１列の赤色左眼映像サブピクセル（Ｒ１１）が印加され、前記第１行第１列のピクセル（Ｐ１）の緑色サブピクセルには前記第１行第１列の緑色左眼映像サブピクセル（Ｇ１１）が印加され、前記第１行第１列のピクセル（Ｐ１）の青色サブピクセルには前記第１行第１列の青色右眼映像サブピクセル（ｂ１１）が印加され、前記第１行第２列のピクセル（Ｐ２）の赤色サブピクセルには前記第１行第１列の赤色右眼映像サブピクセル（ｒ１１）が印加され、前記第１行第２列のピクセル（Ｐ２）の緑色サブピクセルには前記第１行第２列の緑色左眼映像サブピクセル（Ｇ１２）が印加され、前記第１行第２列のピクセル（Ｐ２）の青色サブピクセルには前記第１行第１列の青色左眼映像サブピクセル（Ｂ１１）が印加され、前記第１行第３列のピクセル（Ｐ３）の赤色サブピクセルには前記第１行第２列の赤色右眼映像サブピクセル（ｒ１２）が印加され、前記第１行第３列のピクセル（Ｐ３）の緑色サブピクセルには前記第１行第１列の緑色右眼映像サブピクセル（ｇ１１）が印加され、前記第１行第３列のピクセル（Ｐ３）の青色サブピクセルには前記第１行第２列の青色左眼映像サブピクセル（Ｂ１２）が印加され、前記第１行第４列のピクセル（Ｐ４）の赤色サブピクセルには前記第１行第２列の赤色左眼映像サブピクセル（Ｒ１２）が印加され、前記第１行第４列のピクセル（Ｐ４）の緑色サブピクセルには前記第１行第２列の緑色右眼映像サブピクセル（ｇ１２）が印加され、前記第１行第４列のピクセル（Ｐ４）の青色サブピクセルには前記第１行第２列の青色右眼映像サブピクセル（ｂ１２）が印加されるように供給する段階と、前記表示パネルの上部に配置され、複数の開口部と、前記複数の開口部を囲む遮断部がモザイク状に配列され、前記複数の開口部それぞれは、前記複数の赤、緑、青色サブピクセルの前記横方向に隣接した２サブピクセル対に対応するパララックスバリアを通じて前記左眼映像及び右眼映像を使用者に伝達する段階とを含み、前記左眼映像及び右眼映像は、前記表示パネルの縦方向に沿って１サブピクセル毎に交互に印加されることを特徴とする。
【発明の効果】
【００２９】
本発明によれば、隣接した２個のサブピクセルに対応される開口部を有するモザイク状バリアを構成することによって一つのピクセル単位で開口部を形成した従来のモザイク状バリア方式の３次元表示装置で発生する色品位の低下のない高品位の３次元映像を表示することができる。
【００３０】
また、開口部の左右領域を拡大することによって、３次元映像表示装置の開口率を改善して輝度を増加させる効果がある。
【発明を実施するための最良の形態】
【００３１】
以下、図面を参照して本発明を詳細に説明する。
【００３２】
図５は、本発明によるモザイク状バリア方式の３次元表示装置を正面から眺めた時左眼または右眼の中、いずれか一つに入射する映像を示した図面である。説明の便宜のために、左眼に対応するサブピクセルは符号「１」を、右眼に対応するサブピクセルは符号「２」を付与した。
【００３３】
図示したように、３次元映像表示装置１５０は、表示パネル１６０と、表示パネル１６０上部に配置されるモザイク状バリア１７０を含む。表示パネル１６０は、それぞれが短軸と長軸の長方形状であり、赤、緑、青色を発する３個のサブピクセルＲ、Ｇ、Ｂが一つのピクセルＰを形成することを特徴とする複数のピクセルＰを含む。ここで、表示パネル１６０は、赤、緑、青色カラーが縦方向ストライプ状(vertical stripe type)に形成されており、前記モザイク状バリア１７０は、開口部ＯＡ及び遮断部ＢＡで構成されている。
【００３４】
このような構成を有する本発明によるモザイク状バリア方式の３次元映像表示装置１５０において、表示映像を表現する表示パネル１６０は、液晶パネルと、液晶パネル外側面に具備された偏光板と、前記液晶パネルに光源を供給するバックライトユニットを含む液晶表示装置であることが最も好ましい。前記液晶パネルは、複数のサブピクセルＲ、Ｇ、Ｂを定義して互いに交差するゲート及びデータ配線と、これら両配線と連結して形成された薄膜トランジスタと、前記薄膜トランジスタと連結して各サブピクセルＲ、Ｇ、Ｂ毎に形成された画素電極を含むアレイ基板と、前記アレイ基板の各サブピクセルＲ、Ｇ、Ｂに対応して赤、緑、青色カラーフィルターパターンが順次繰り返されたカラーフィルター層と共通電極を含むカラーフィルター基板と、これら両基板間に介在された液晶層で構成される。前記表示素子は、前述した構成を有する液晶表示装置以外に、ゲート及びデータ配線と薄膜トランジスタを含むアレイ基板に対して有機発光層と第１及び第２電極で構成される有機電界発光ダイオードを具備した有機電界発光素子を利用することもできる。
【００３５】
このような表示素子において、その構成を見ると、一つのピクセルＰは、横対縦の比率が１：３である長方形状の赤、緑、青サブピクセルＲ、Ｇ、Ｂ３個が横方向に配列されて構成されており、ここで、最も特徴的な構成として、一つのピクセルＰに対しては、左眼及び右眼情報が混在された情報が入力されているということである。従来の場合、一つのピクセル内の赤、緑、青色サブピクセルは、左眼または右眼情報のうち一つの映像情報が入力されたが、本発明の場合、一つのピクセルＰ内には、左眼用映像情報と右眼用映像情報が同時に印加されていることが特徴である。すなわち、一つのピクセルＰは、赤、緑、青色３個のサブピクセルＲ、Ｇ、Ｂで構成されるが、ピクセルＰの概念なしにサブピクセルＲ、Ｇ、Ｂに対して２個ずつグループにして交代して左眼及び右眼情報「１」、「２」が入力されることが特徴である。
【００３６】
例えば、図５の下部左側部分の第１ピクセルＰ１では、赤色サブピクセルＳＰが右眼用映像の赤色情報を表示し、緑色及び青色サブピクセルＳＰはそれぞれ左眼用映像の緑色及び青色情報を表示する。一方、図５の下部中央部分の第２ピクセルＰ２では、赤色及び緑色サブピクセルＳＰがそれぞれ右眼用映像の赤色及び緑色情報を表示し、青色サブピクセルＳＰは左眼用映像の青色情報を表示する。したがって、左眼用及び右眼用映像は、ピクセルＰと関係なく表示パネル１６０の隣接２サブピクセルＳＰ対単位で交互に表示される。
【００３７】
このような構成を有するモザイク状バリア１７０は、全体的には、従来の形態のようなチェス盤状、すなわち、開口部ＯＡと、開口部ＯＡの上下左右周辺の遮断部ＢＡを有している。しかし、従来との差は、前記開口部ＯＡが、その後面に位置する表示パネル１６０の２個のサブピクセル(２＊ＳＰ)に対応する大きさを有し、遮断部ＢＡも２個のサブピクセル(２＊ＳＰ)に対応する大きさを有して構成されることである。
【００３８】
したがって、前記各サブピクセルＳＰの横対縦比が１：３であることを勘案すると、前記サブピクセルＳＰの横の長さをｐと言えば、縦の長さは３ｐになり、これを介して前記モザイク状バリア１７０の開口部ＯＡの反復周期である横方向と縦方向のピッチを見ると、横ピッチは４ｐ、縦ピッチは６ｐになるようになる。
【００３９】
このような構成を有する本発明に利用されるモザイク状バリア１７０においても、その開口部ＯＡは、正確に２個のサブピクセル(２＊ＳＰ)に完全に対応する形態でなく、前記２個のサブピクセル(２＊ＳＰ）の面積よりは小さな大きさを有し、遮断部ＢＡは、前記２個のサブピクセル(２＊ＳＰ）の面積よりは所定幅さらに大きい大きさを有することが特徴である。
【００４０】
ここで、各開口部ＯＡは、一つのピクセルＰ内で２個のサブピクセル(２＊ＳＰ)に対応しており、前記開口部ＯＡに対応する２個のサブピクセル(２＊ＳＰ）には、左眼または右眼用映像情報が混在されることなく、これら左眼または右眼用映像情報のうち一つの情報映像が印加されている。
【００４１】
図６は、本発明による３次元映像表示装置の開口部及び遮断部を示した図面である。
【００４２】
図６に示したように、バリア状３次元映像表示装置１５０は、表示パネル１６０と、表示パネル１６０上部に配置されるパララックスバリア１７０で構成される。表示パネル１６０は、隣接２サブピクセルＳＰ対の一例であって、赤及び緑サブピクセルＳＰを含み、各サブピクセルＳＰは、横方向Ｈと平行した第１辺と、縦方向Ｖに平行した第２辺を含む。ここで、第２辺の長さ３ｐは、第１辺の長さの約３倍である。
【００４３】
パララックスバリア１７０は、隣接２サブピクセルＳＰ対の中央部に形成される開口部ＯＡと、開口部ＯＡを囲む遮断部ＢＡを含み、遮断部ＢＡは、第１ないし第４部分リングを含む四角リング形状を有する。横方向Ｈに平行した第１及び第３部分リングは、第３幅ｄ３を有し、縦方向Ｖに平行した第２及び第４部分リングは、第４幅ｄ４を有する。第３幅ｄ３は、各サブピクセルＳＰの第２辺の長さ３ｐの約５％ないし約１０％である(ｄ３＝０．０５＊(３ｐ)〜０．１＊(３ｐ)＝０．１５ｐ〜０．３ｐ)であって、第４幅ｄ４は、各サブピクセルＳＰの第１辺の長さ(ｐ）の約１％ないし約３％である(ｄ４＝０．０１ｐ〜０．０３ｐ)。したがって、各開口部ＯＡは、第１辺の２倍の約９７％ないし約９９％である横方向Ｈの長さと第２辺の約８０％ないし約９０％である縦方向Ｖの長さを有する。
【００４４】
結果的に、約４．６５６ｐ2((３ｐ−２＊(０．３ｐ))＊(２ｐ−２＊(０．０３ｐ))＝(２．４ｐ)＊(１．９４ｐ)＝４．６５６ｐ2)から約５．３４６ｐ2((３ｐ−２＊(０．１５ｐ))＊(２ｐ−２＊(０．０１ｐ))＝(２．７ｐ)＊(１．９８ｐ)＝５．３４６ｐ2）の面積を有する開口部ＯＡの約６ｐ2の面積を有する隣接２サブピクセルＳＰ対に対する面積比、すなわち開口率(aperture ratio)は、約７７．６％から約８９．１％になる。したがって、３次元映像表示装置１５０の開口率が改善される。
【００４５】
図７Ａと図７Ｂは、それぞれ赤、緑、青色サブピクセルが垂直ストライプ状を有する表示パネル及びモザイク状バリアを具備した本発明による３次元映像表示装置において、正常的な３次元映像視聴が可能な領域の中、左側または右側に移動して表示画面を眺めた時の左眼または右眼の中いずれか一つに対して示した図面である。
【００４６】
本発明による３次元映像表示装置１５０の場合、図７Ａを参照すると、使用者が左側に移動して眺めるようになると、モザイク状バリア１７０が右側に移動したように見えるようになるが、この場合、第１行１列の開口部ＯＡを調べると開口部ＯＡ内における緑色サブピクセルＧの面積が小さくなり、第１行３列の開口部ＯＡを調べると緑色サブピクセルＧが追加されて互いに補償される構造になることが分かる。
【００４７】
これは、図７Ｂを参照すると、使用者が右側に移動して表示画面を眺めた時は、前記モザイク状バリアが左側に移動したように見え、この場合も第１行１列の開口部ＯＡ内で赤色サブピクセルＲの面積が増加されるが、第１行３列の開口部ＯＡ内で赤色サブピクセルＲの面積が減少されて互いに補償される構造になることが分かる。したがって、使用者が３次元映像表示装置１５０の正面から左右に移動して視聴する場合にも、同一なカラーに対して減ることと増えることが同時に発生することによって互いに補償されて色品位は、同一な状態になることが分かる。
【００４８】
したがって、このような構造的特徴により、図６を参照すると、赤、緑、青色サブピクセルＲ、Ｇ、Ｂが周期的に繰り返される左右方向に対しては、前記開口部ＯＡの終端から前記開口部ＯＡに対応するサブピクセルＲ、Ｇ、Ｂの終端までの距離である第４幅ｄ４は、サブピクセルＳＰ短軸幅ｐの１％ないし３％程度の大きさを有するように形成しても問題にならない。
【００４９】
以後、左眼用映像と右眼用映像が合成されて最終的にモザイク状バリアがない状態で見えるようになる映像情報配置に対して説明する。
【００５０】
図８は、本発明による３次元表示装置において映像を表示する表示領域及びこのような表示領域に左眼及び右眼用映像情報をそれぞれ表現するために各映像情報データのサンプリングを介した映像信号が入力されることを示した図面である。ここで、説明の便宜のために、左眼及び右眼用元映像は、２＊３の映像ピクセルで構成しており、３次元表示装置は、４＊３のピクセルで構成した。また、左眼用元映像において、赤、緑、青色映像サブピクセルは、Ｒ、Ｇ、Ｂで表現し、右眼用元映像において、赤、緑、青色映像サブピクセルはｒ、ｇ、ｂで表現した。
【００５１】
モザイク状バリアによる３次元立体映像の場合、元映像と実際に使用者が見るようになる映像は、解像度において主に横方向で１／２の解像度低下が生じるので、本発明においては、このような解像度低下を勘案してあらかじめ元映像の横方向の解像度を半分に減らしたことに一例を示したが、３次元表示装置の映像と同一な解像度を有する場合も可能であり、この場合は、左眼に対しては奇数列に対する映像のみを、右眼では偶数列に対する映像のみを選択的にサンプリングして、以後説明する方式で実際表示される映像のピクセルに入力すると同一な結果を有するようになる。
【００５２】
本発明の最も特徴的なことは、左眼と右眼元映像の第１行の第１及び第２列の情報が最終表示される映像においては、第１行の第１列ないし第４列に分散入力されることが特徴である。ここで、列方向においては、最初入力される映像情報が左眼及び右眼の映像情報が交代するようにすることが特徴である。第１行の第１列に左眼用映像情報を印加したならば、第２行の第１列に対しては、右眼用映像情報を先に入力して、第３行の第１列に対しては、再び左眼用映像情報を印加させることが特徴である。奇数行に対しては、左眼用映像情報が偶数行に対しては、右眼用映像情報が先に入力されるものである。
【００５３】
また、各行においては、赤、緑、青色サブピクセルが一つのピクセルを形成して繰り返される反面、映像情報は、隣接した２個のサブピクセルに対してだけ左眼または右眼用映像情報が隣接するようになるので、最終表示映像の第１行の第１列から１２列まで番号を付与した場合、第１、２、５、６、９、１０列は、左眼用映像情報Ｒ１１、Ｇ１１、Ｇ１２、Ｂ１１、Ｂ１２、Ｒ１２が、第３、４、７、８、１１、１２列は、右眼用映像情報ｒ１１、ｇ１１、ｒ１２、ｇ１１、ｇ１２、ｂ１２が入力されて、各行に対して１２個のサブピクセルＳＰを周期にして同一な配列をするようになることが特徴である。ここで、その次の行に対しては、第１、２、５、６、９、１０列は、右眼用映像情報ｒ２１、ｇ２１、ｂ２１、ｒ２２、ｇ２２、ｂ２２が、第３、４、７、８、１１、１２列は、左眼用映像情報Ｒ２１、Ｇ２１、Ｂ２１、Ｒ２２、Ｇ２２、Ｂ２２が入力される。
【００５４】
最終映像の第１行の連続された最初４個のピクセルＰ１、Ｐ２、Ｐ３、Ｐ４に対応する連続された１２個のサブピクセルＳＰに、左眼映像ＩＬの第１及び第２左眼映像ピクセルＬＰ１、ＬＰ２と、右眼映像ＩＲの第１及び第２右眼映像ピクセルＲＰ１、ＲＰ２の６個の映像サブピクセル((Ｒ１１、Ｇ１１、Ｂ１１、Ｒ１２、Ｇ１２、Ｂ１２)、(ｒ１１、ｇ１１、ｂ１１、ｒ１２、ｇ１２、ｂ１２)）の情報がＲ１１、Ｇ１１、ｂ１１、ｒ１１、Ｇ１２、Ｂ１１、ｒ１２、ｇ１１、Ｂ１２、Ｒ１２、ｇ１２、ｂ１２順序で入力されるので、最終表示画面で４個のピクセルＰ１、Ｐ２、Ｐ３、Ｐ４を一つのグループにしてこれを一つの映像表示最小素子で色を表示するようになる。
【００５５】
このため、元映像に表示された全ての映像情報が最終映像に表現されるようになるので、従来のピクセル単位で対応される３次元表示装置対比映像品質に損傷が発生しない。また、赤、緑、青色カラーフィルターパターンが順次反復する左右方向に対してもモザイク状バリアに対して視聴者の見る位置によってシフトされるとしても開口部に露出される赤、緑、青色サブピクセルの全体面積が等しくなるので、カラー品位が低下されないことが分かる。
【００５６】
ピボット機能を実施して表示画面を９０度回転させた場合は、赤、緑、青色のサブピクセルが横方向に配列されるようになるので、この場合は、開口部が左右側にシフトされるにしても同一なカラーに対してシフトされるのでカラー品位の損傷なしに３次元立体映像を表示することができるが、その説明は省略する。
【００５７】
そして、パララックスバリア１７０の開口部の面積比を増加させることによって、３次元映像表示装置１５の開口率が増加して輝度が改善される。
【００５８】
本発明は、上述した実施の形態に限定されなく、本発明の趣旨を外れない限度内で多様に変更して実施することができる。
【図面の簡単な説明】
【００５９】
【図１】従来の視差方式の３次元映像具現液晶表示装置を示した概念図。
【図２】従来のモザイク状バリア方式の３次元表示装置を正面から眺めた時左眼または右眼の中いずれか一つに入射する映像を示した図面。
【図３】従来の３次元映像表示装置の開口部及び遮断部を示した図面。
【図４Ａ】従来の垂直な赤、緑、青色サブピクセル形状を有する表示装置を具備したモザイク状バリア方式の３次元表示装置において、正常的な３次元映像が視聴可能な領域の中、左側に移動して表示画面を眺めた時の左眼の中いずれか一つに対して示した図面。
【図４Ｂ】従来の垂直な赤、緑、青色サブピクセル形状を有する表示装置を具備したモザイク状バリア方式の３次元表示装置において、正常的な３次元映像が視聴可能な領域の中、右側に移動して表示画面を眺めた時の右眼の中いずれか一つに対して示した図面。
【図５】本発明によるモザイク状バリア方式の３次元表示装置を正面から眺めた時左眼または右眼の中いずれか一つに入射する映像を示した図面。
【図６】本発明による３次元映像表示装置の開口部及び遮断部を示した図面。
【図７Ａ】赤、緑、青色サブピクセルが垂直ストライプ状を有する表示装置及びモザイク状バリアを具備した本発明による３次元表示装置において、正常的な３次元映像視聴が可能な領域の中、左側に移動して表示画面を眺めた時の左眼の中いずれか一つに対して示した図面。
【図７Ｂ】赤、緑、青色サブピクセルが垂直ストライプ状を有する表示装置及びモザイク状バリアを具備した本発明による３次元表示装置において、正常的な３次元映像視聴が可能な領域の中、右側に移動して表示画面を眺めた時の右眼の中いずれか一つに対して示した図面。
【図８】本発明による３次元表示装置において映像を表示する表示領域及びこのような表示領域に左眼及び右眼用映像情報をそれぞれ表現するために各映像情報データのサンプリングを介した映像信号が入力されることを示した図面。
【図１】
0005161742.tif 000002
【図２】
0005161742.tif 000003
【図３】
0005161742.tif 000004
【図４Ａ】
0005161742.tif 000005
【図４Ｂ】
0005161742.tif 000006
【図５】
0005161742.tif 000007
【図６】
0005161742.tif 000008
【図７Ａ】
0005161742.tif 000009
【図７Ｂ】
0005161742.tif 000010
【図８】
0005161742.tif 000011